(57)【要約】【課題】宅内及び宅外を含めて操作命令を発信した操作機器を特定し、操作機器の位置に応じて操作の制限、温度変更の禁止等の適切な対応処理を行う。【解決手段】制御装置３６と接続され、給湯機本体３５の操作命令の受信や給湯機本体３５の動作状態情報の送信を行うインターフェースユニット４５と、遠隔通信端末６１、６２から、外部ネットワーク５３と宅内ネットワークのうち少なくとも一方を介して操作命令を受信し、操作命令をインターフェースユニット４５に送信するとともに、インターフェースユニット４５を経由して給湯機本体３５の動作状態情報を受信する通信制御装置５１と、を備え、インターフェースユニット４５で受信した給湯機本体３５への操作命令を、無効にするための無効手段を操作する操作部４４ｆを操作して操作命令を無効にした状態で再度操作部４４ｆを操作した場合、操作命令の無効を解除する。【選択図】図３
2018040563.tif 000002
【特許請求の範囲】
【請求項１】
給湯対象に温水を供給するための給湯機本体と、
前記給湯機本体を制御する制御装置と、
前記制御装置と接続され、前記給湯機本体の設定値や運転状態を変更する機能を有するリモコンと、
前記制御装置と接続され、前記給湯機本体を操作するための操作命令の受信や該給湯機本体の動作状態情報の送信を行うインターフェースユニットと、
遠隔通信端末から前記操作命令が発信されたときに、外部ネットワークと宅内ネットワークのうち少なくとも一方のネットワークを介して該操作命令を受信し、当該操作命令を前記インターフェースユニットに送信するとともに、該インターフェースユニットを経由して前記給湯機本体の動作状態情報を受信する送受信手段を備えた通信制御装置と、を備え、
前記インターフェースユニットで受信した前記給湯機本体への前記操作命令を、無効にするための無効手段を操作する操作部を、当該インターフェースユニット上または前記リモコン上の少なくともいずれか一方に備え、
当該操作部を操作して前記無効手段により前記操作命令を無効にした状態で、再度当該操作部を操作した場合には、前記無効手段は、前記操作命令の無効を解除するようにしたことを特徴とする給湯システム。
【請求項２】
給湯対象に温水を供給するための給湯機本体と、
前記給湯機本体を制御する制御装置と、
前記制御装置と接続され、前記給湯機本体の設定値や運転状態を変更する機能を有するリモコンと、
前記制御装置と接続され、前記給湯機本体を操作するための操作命令の受信や該給湯機本体の動作状態情報の送信を行うインターフェースユニットと、
遠隔通信端末から前記操作命令が発信されたときに、外部ネットワークと宅内ネットワークのうち少なくとも一方のネットワークを介して該操作命令を受信し、当該操作命令を前記インターフェースユニットに送信するとともに、該インターフェースユニットを経由して前記給湯機本体の動作状態情報を受信する送受信手段を備えた通信制御装置と、を備え、
前記インターフェースユニットで受信した前記給湯機本体への前記操作命令を、無効にするための無効手段を操作する操作部を、備え、
初期状態は、前記無効手段が動作した状態、かつ前記給湯機本体の動作状態情報を送信可能な状態とすることを特徴とする給湯システム。
【請求項３】
前記操作部により、前記インターフェースユニットで受信した前記給湯機本体への前記操作命令を、無効にするための無効手段が動作した場合、
前記遠隔通信端末からの前記操作命令は、前記給湯機本体で実行されず無効となる一方、前記給湯機本体の前記動作状態情報は、前記遠隔通信端末に送信可能に構成されたことを
特徴とする、請求項１に記載の給湯システム。
【請求項４】
初期状態は、前記無効手段が動作した状態であることを特徴とする、請求項１または３に記載の給湯システム。
【請求項５】
前記操作部を、前記インターフェースユニット上で使用者が操作可能な位置に備えたことを特徴とする請求項２乃至４に記載の給湯システム。
【請求項６】
前記通信制御手段と前記インターフェースユニットとの前記操作命令の送受信状態を表示する表示手段を、該インターフェースユニットに備えたことを特徴とする、請求項１乃至５に記載の給湯システム。
【請求項７】
前記無効手段は、
前記通信制御装置から送信された前記操作命令が前記インターフェースユニットから前記制御装置へ送信される通信ルートのうち、いずれかを物理的に遮断する遮断手段であることを特徴とする請求項１乃至６に記載の給湯システム。
【発明の詳細な説明】
【技術分野】
【０００１】
本発明は、給湯対象に温水を供給する機能を備えた給湯システムに関する。
【背景技術】
【０００２】
外部の携帯端末からインターネットを経由して住宅設備機器や家電機器などを遠隔操作することができるシステムがある。例えば特許文献１ に示されるシステムは、給湯装置に携帯端末と通信可能なインターフェースが設けられていて、このインターフェースを介して、携帯端末から給湯装置を遠隔操作するものが示されている。
【先行技術文献】
【特許文献】
【０００３】
【特許文献１】特開２００７−２７１１２４号公報
【発明の概要】
【発明が解決しようとする課題】
【０００４】
上述した従来技術では、家屋内に配置された複数の宅内リモコンなどの送受信装置に対し、集中制御装置から送信される操作命令に応じて給湯装置が動作を実行している。このため、例えばインターネットなどを経由して操作命令が悪意をもって行われ、給湯機の所有者の意図しない操作命令が成されたとしても、宅内の所有者はその外部からの操作命令に対しての対抗策を何ら有していないという問題があった。
【０００５】
本発明は、上述のような課題を解決するためになされたもので、外部から所有者の意図しない操作命令が成されたとしても、その外部からの操作命令に対し、操作命令の受信を制限、禁止等の適切な対応処理を行うことができる、使い勝手のよい給湯システムを提供することを目的とする。
【課題を解決するための手段】
【０００６】
本発明に係る給湯システムは、給湯対象に温水を供給するための給湯機本体と、給湯機本体を制御する制御装置と、制御装置と接続され、給湯機本体の設定値や運転状態を変更する機能を有するリモコンと、制御装置と接続され、給湯機本体を操作するための操作命令の受信や該給湯機本体の動作状態情報の送信を行うインターフェースユニットと、遠隔通信端末から操作命令が発信されたときに、外部ネットワークと宅内ネットワークのうち少なくとも一方のネットワークを介して該操作命令を受信し、当該操作命令をインターフェースユニットに送信するとともに、該インターフェースユニットを経由して給湯機本体の動作状態情報を受信する送受信手段を備えた通信制御装置と、を備え、インターフェースユニットで受信した給湯機本体への操作命令を、無効にするための無効手段を操作する操作部を、当該インターフェースユニット上またはリモコン上の少なくともいずれか一方に備え、当該操作部を操作して無効手段により操作命令を無効にした状態で、再度当該操作部を操作した場合には、無効手段は、操作命令の無効を解除するようにしたものである。また、給湯対象に温水を供給するための給湯機本体と、給湯機本体を制御する制御装置と、制御装置と接続され、給湯機本体の設定値や運転状態を変更する機能を有するリモコンと、制御装置と接続され、給湯機本体を操作するための操作命令の受信や該給湯機本体の動作状態情報の送信を行うインターフェースユニットと、遠隔通信端末から操作命令が発信されたときに、外部ネットワークと宅内ネットワークのうち少なくとも一方のネットワークを介して該操作命令を受信し、当該操作命令をインターフェースユニットに送信するとともに、該インターフェースユニットを経由して給湯機本体の動作状態情報を受信する送受信手段を備えた通信制御装置と、を備え、インターフェースユニットで受信した給湯機本体への操作命令を、無効にするための無効手段を操作する操作部を、備え、初期状態は、無効手段が動作した状態、かつ給湯機本体の動作状態情報を送信可能な状態とするものである。
【発明の効果】
【０００７】
本発明によれば、外部から所有者の意図しない操作命令が成されたとしても、その外部からの操作命令に対し、操作命令の受信を制限、禁止等の適切な対応処理を行うことができる、使い勝手のよい給湯システムを提供することができる。
【図面の簡単な説明】
【０００８】
【図１】本発明の実施の形態１による貯湯式の給湯システムを示す全体構成図である。
【図２】本発明の実施の形態１による給湯機の具体的な構成を示す構成図である。
【図３】本発明の実施の形態１のリモコンの一例を示す図である。
【図４】本発明の他の実施の形態による貯湯式の給湯システムを示す全体構成図である。
【発明を実施するための形態】
【０００９】
実施の形態１．
以下、図１乃至図３を参照して、本発明の実施の形態１について説明する。なお、本明細書で使用する各図においては、共通する要素に同一の符号を付し、重複する説明を省略するものとする。図１は、本発明の実施の形態１による貯湯式の給湯機を含む給湯システムを示す全体構成図である。この図に示すように、給湯システムは、ヒートポンプユニット７、タンクユニット３３、制御装置３６、リモコン４４及び通信制御装置５１を備えている。ヒートポンプユニット７は、ヒートポンプサイクルにより構成されている。ヒートポンプユニット７とタンクユニット３３とは、給湯機本体３５を構成するもので、後述のヒートポンプ往き配管１４及びヒートポンプ戻り配管１５により相互に接続されている。次に、個々の構成要素について説明する。
【００１０】
図２は、本発明の実施の形態１による給湯システムの具体的な構成を示す構成図である。ヒートポンプユニット７は、タンクユニット３３から導かれた低温水を加熱（沸上げ）して高温水を生成するもので、圧縮機１、水加熱用熱交換器３、膨張弁４及び蒸発器５を冷媒循環配管６により環状に接続することによって構成されている。一方、タンクユニット３３には、貯湯タンク８と共に、各種の弁類、ポンプ類、配管等が搭載されている。貯湯タンク８は、ヒートポンプユニット７により加熱した温水を貯湯する密閉型のタンク等により構成されている。貯湯タンク８の下部側には、水導入口８ａ、水導出口８ｂ及び温水導入口８ｃが設けられ、貯湯タンク８の上部側には、温水導入出口８ｄが設けられている。
【００１１】
貯湯タンク８の水導入口８ａには、市水を減圧弁３１で所定圧力に調圧した上で供給するための第３給水配管９ｃが接続されており、貯湯タンク８の温水導入出口８ｄには、タンク内に貯留した湯水を給湯機外部へ供給するための給湯配管２１が接続されている。給湯機の運転時には、後述のように、貯湯タンク８の上部からタンク内に高温水が流入し、貯湯タンク８の下部からタンク内に低温水が供給される。このため、貯湯タンク８の内部には、上部側に高温水が滞留し、下部側に低温水が滞留するように温度成層が形成される。また、貯湯タンク８の表面には、互いに高さが異なる位置に複数個のタンク温度センサ４２，４３が設けられている（図中では、２個の場合を例示）。制御装置３６は、これらのタンク温度センサ４２，４３の出力に基いて、貯湯タンク８内の残湯量を検出し、後述する沸上げ運転の開始及び停止等を制御する。
【００１２】
また、タンクユニット３３内には、熱源ポンプ１２およびふろ用熱交換器２０が内蔵されている。熱源ポンプ１２は、タンクユニット３３内の後述する各種配管に湯水を循環させるもので、後述のヒートポンプ往き配管１４に設けられている。なお、ヒートポンプ往き配管１４のうち熱源ポンプ１２の下流側の部位には、循環する湯水の温度を検出する冷却循環温度センサ３９ａが設けられている。ふろ用熱交換器２０は、貯湯タンク８やヒートポンプユニット７から供給される高温水を利用して、２次側の加熱対象水（浴槽水や暖房用循環水など）を加熱するための熱交換器である。なお、本実施形態では、ふろ用熱交換器２０の２次側の構成として、浴槽３０内の湯水を循環させるふろ往き配管２７とふろ戻り配管２８を例に挙げて説明する。ふろ用熱交換器２０は、ふろ往き配管２７とふろ戻り配管２８の途中に設置されている。また、ふろ往き配管２７とふろ戻り配管２８の途中には、浴槽水を循環させるためのふろ循環ポンプ２９と、浴槽３０から出た浴槽水の温度を検出するふろ戻り温度センサ３８と、ふろ用熱交換器２０から出た熱交換後の湯の温度を検出するふろ往き温度センサ３７とが設置されている。
【００１３】
次に、タンクユニット３３が備える弁類および配管類について説明する。タンクユニット３３は、電磁駆動式の三方弁１１および四方弁１８を有している。三方弁１１は、湯水が流入する２つの入口（ａポート、ｂポート）と、湯水が流出する１つの出口（ｃポート）とを有し、ａポートまたはｂポートの何れかから湯水が流入するように湯水の経路を切換えるものである。四方弁１８は、湯水が流入する２つの入口（ｂポート、ｃポート）と、湯水が流出する２つの出口（ａポート、ｄポート）とを有し、４つの経路（ａ−ｂ経路、ａ−ｃ経路、ｂ−ｄ経路、ｃ−ｄ経路）の間で湯水の流路形態を切換えるものである。
【００１４】
また、タンクユニット３３は、水導出口配管１０、ヒートポンプ往き配管１４、ヒートポンプ戻り配管１５、温水導入配管２０ａ、第１のバイパス配管１６、温水導出配管２０ｂ及び第２のバイパス配管１７を備えている。水導出口配管１０は、貯湯タンク８の水導出口８ｂと三方弁１１のａポートとを接続する流路である。ヒートポンプ往き配管１４は、三方弁１１のｃポートとヒートポンプユニット７の入口側とを接続するもので、ヒートポンプ戻り配管１５は、ヒートポンプユニット７の出口側と四方弁１８のｃポートとを接続している。
【００１５】
給湯配管２１は、四方弁１８のｄポートと貯湯タンク８の温水導入出口８ｄとを接続するもので、第１のバイパス配管１６は、四方弁１８のａポートと貯湯タンク８の温水導入口８ｃとを接続している。また、温水導入配管２０ａは、貯湯タンク８の上部と四方弁１８との間で給湯配管２１から分岐し、ふろ用熱交換器２０の１次側入口に接続されている。温水導出配管２０ｂは、ふろ用熱交換器２０の１次側出口と三方弁１１のｂポートとを接続している。さらに、第２のバイパス配管１７は、三方弁１１とヒートポンプユニット７の入り口側との間でヒートポンプ往き配管１４から分岐し、四方弁１８のｂポートに接続されている。
【００１６】
また、タンクユニット３３は、給水管路９、第１給水配管９ａ、第２給水配管９ｂ、給湯用混合弁２２、ふろ用混合弁２３、第１給湯配管２４、第２給湯配管２５を備えている。給水管路９は、一端が市水源に接続された第１給水配管９ａと、第１給水配管９ａの他端に減圧弁３１を介して接続された第２給水配管９ｂと、前述の第３給水配管９ｃとにより構成されている。第２給水配管９ｂは途中から分岐して給湯用混合弁２２とふろ用混合弁２３とにそれぞれ接続されている。また、給湯配管２１は分岐して給湯用混合弁２２とふろ用混合弁２３とにそれぞれ接続されている。給湯用混合弁２２及びふろ用混合弁２３は、給湯配管２１から供給される高温水と第２給水配管９ｂから流入する低温水とを混合しつつ、両者の混合比に応じた温度をもつ温水を生成する。
【００１７】
この温水は、給湯栓、浴槽３０等の給湯対象に給湯される。給湯される温水の温度（給湯温度）は、給湯システムのユーザがリモコン４４、宅外の携帯端末６１等により設定するものである。具体的に述べると、給湯用混合弁２２で温度調整された温水は、第１給湯配管２４から給湯栓３４を経由して、シャワーやカラン等の蛇口（図示せず）に供給される。一方、ふろ用混合弁２３で設定温度に調整された温水は、第２給湯配管２５からふろ用電磁弁２６、流量センサ４５、ふろ往き配管２７、ふろ戻り配管２８を経由して、浴槽３０に供給される。
【００１８】
ここで、三方弁１１及び四方弁１８により実現される流路形態について説明する。まず、三方弁１１は、以下に述べる第１及び第２の流路形態の間で、タンクユニット３３内の湯水の流路を切換えるものである。「第１流路形態」とは、貯湯タンク８の水導出口８ｂと水加熱用熱交換器３とが水導出口配管１０及びヒートポンプ往き配管１４を介して連通する流路形態である。「第２流路形態」とは、温水導出配管２０ｂと水加熱用熱交換器３とがヒートポンプ往き配管１４を介して連通する流路形態である。
【００１９】
四方弁１８は、以下に述べる第１乃至第４の流路形態の間で、タンクユニット３３内の湯水の流路を切換えるものである。「第１流路形態」とは、水加熱用熱交換器３と給湯配管２１とがヒートポンプ戻り配管１５を介して連通する流路形態である。「第２流路形態」とは、水加熱用熱交換器３と第１のバイパス配管１６とがヒートポンプ戻り配管１５を介して連通する流路形態である。また、「第３流路形態」とは、第２のバイパス配管１７と第１のバイパス配管１６とが連通する流路形態である。「第４流路形態」とは、第１のバイパス配管１６と給湯配管２１とが連通する流路形態である。
【００２０】
次に、本実施の形態による給湯システムの制御系統について説明する。制御装置３６は、演算処理装置と記憶回路とを有するマイクロコンピュータ等により構成され、その入力側には、上述した各種のセンサを含むセンサ系統が接続されている。制御装置３６の出力側には、ヒートポンプユニット７及びタンクユニット３３に搭載されたポンプ類、弁類等を含む各種のアクチュエータが接続されている。制御装置３６は、センサ系統の出力、ユーザの設定等に基いてアクチュエータを駆動することにより、給湯機本体３５を制御し、一般的な沸き上げ運転、給湯運転等を実行すると共に、後述の給湯温度制御を実行する。
【００２１】
また、本実施の形態によるシステムは、例えば台所に配置された台所リモコン４４ａと、浴室に配置された浴室リモコン４４ｂとを備えている。なお、本実施の形態では、２個のリモコン４４ａ，４４ｂを備える場合を例示したが、本発明は、１個のリモコン、または３個以上のリモコンを備えたシステムにも適用されるものである。また、以下の説明では、リモコン４４ａ，４４ｂをまとめてリモコン４４と表記する場合がある。リモコン４４は、給湯機本体３５を操作するもので、制御装置３６と接続されている。給湯システムのユーザは、リモコン４４を操作して各種の設定値や運転状態を変更することができる。また、リモコン４４の少なくとも１つは、後述の通信制御装置５１に有線または無線（図１は無線の例）で接続され、給湯機本体３５を操作するための操作命令の受信や給湯機本体３５の動作状態情報の送信を行う機能を有している。
【００２２】
さらに、本実施の形態によるシステムは、図１に示すように、リモコン４４を経由して制御装置３６と接続された通信制御装置５１を備えている。通信制御装置５１は、例えば家屋に設置されたＬＡＮ等の宅内ネットワークと、インターネット等の外部ネットワークとを接続するホームゲートウェイにより構成されている。通信制御装置５１は、宅外の携帯端末６１等から発信される給湯機用の操作命令をインターネット５３上のサーバー５２等を介して受信し、当該操作命令をリモコン４４を経由して制御装置３６に送信する機能およびリモコン４４を経由して給湯機本体３５の動作状態情報を受信する受信機能を備えている。
【００２３】
図３は、本発明の実施の形態１のリモコン４４の一例を示す図である。図において、リモコン４４には、液晶や蛍光表示管などで構成された表示部４４ｄが設けられており、給湯機本体３５の動作状態や通信制御装置５１との通信状態などを表示したり、給湯機本体の各種設定（給湯温度、湯はり温度、湯はり量など）を表示するものである。また、図示は省略しているが、給湯機本体３５の各種操作設定を行うための操作スイッチがリモコン４４には設けられている。また、表示部４４ｄに代えて、または表示部４４ｄとは別に、通信制御手段５１との通信状態を表示する表示ランプ４４ｅを備えていてもよい。例えば、表示ランプ４４ｅが青く点灯していれば通信制御装置５１との通信は正常であり、赤く点滅しているときは、通信を遮断している状態である、など色あるいは点滅等で通信状態を簡易的に表示する手段として作用する。また、通信制御装置５１との通信について、操作命令を無効にするための無効手段を操作する操作部としての通信スイッチ４４ｆを備えていてもよい。通信スイッチ４４ｆについては後述する。
【００２４】
また、通信制御装置５１は、屋内で使用されるタブレット端末６２から発信される給湯システム用の操作命令を宅内ネットワークにより受信し、当該操作命令をリモコン４４を経由して制御装置３６に送信する機能、およびリモコン４４を経由して得た給湯機本体３５の動作状態情報をタブレット端末６２へ送信する送信機能を備えている。なお、通信制御装置５１としては、必ずしも外部ネットワークと宅内ネットワークの両方から操作命令を受信可能な装置を用いる必要はなく、何れか一方のネットワークからのみ操作命令を受信する構成を採用してもよい。
【００２５】
制御装置３６は、上記操作命令に基いて給湯機本体３５の設定、運転状態を制御し、例えば給湯温度制御を実行する。給湯温度制御とは、例えばユーザの給湯操作により給湯運転が行われるときに、ユーザにより設定された目標給湯温度に対して実際の給湯温度が一致するように、給湯用混合弁２２を制御するものである。目標給湯温度は、宅内のリモコン４４、タブレット端末６２、または宅外の携帯端末６１等により設定される。なお、目標給湯温度の設定内容は、前述の操作命令として制御装置３６に送信される。また、給湯機本体３５の動作状態は、リモコン４４の表示部４４ｄ、通信制御装置５１を経由してタブレット端末６２、または宅外の携帯端末６１等の表示部に表示され、使用者（各端末の操作者）は、給湯機本体３５の動作状態を把握することができる。
【００２６】
より詳しく述べると、給湯温度制御の実行時には、貯湯タンク８の温水導入出口８ｄから給湯配管２１、給湯用混合弁２２、第１給湯配管２４及び給湯栓３４を介して宅内の給湯配管に給湯する経路が形成される。これにより、貯湯タンク８の温水導入出口８ｄから高温水が流出し、この高温水の温度は、給湯用混合弁２２により第２給水配管９ｂから流入する低温水と混合し目標給湯温度に調整された後に、宅内の給湯配管等を経由して給湯対象に供給される。このとき、制御装置３６は、例えば温度センサ等により実際の給湯温度を検出しつつ、給湯用混合弁２２を駆動することにより、給湯温度をフィードバック制御する。
【００２７】
ここで、給湯機本体を制御する各種の操作命令は、台所リモコン４４ａ、浴室リモコン４４ｂ、携帯端末６１及びタブレット端末６２からなる複数の操作機器により、送信可能となっている。このため、例えば外部ネットワーク等を経由して、使用者以外の第三者が悪意をもって給湯機本体３５を操作するために、通信制御装置５１に対して操作命令を送信した場合、給湯機本体３５を使用している使用者は、意図せず給湯機本体３５を操作されてしまう虞がある。このため、本発明では、以下の構成により使用者の意図しない操作命令が成されたとしても、その操作命令に対し、操作命令の受信を制限、禁止等の適切な対応処理を行うことで、使い勝手のよい給湯システムを提供することができる。
【００２８】
すなわち、使用者が給湯機本体３５を使用中に、使用者の意図しない動作が行われていることを認識した場合、リモコン４４の通信スイッチ４４ｆを操作する。この通信スイッチ４４ｆの操作により、リモコン４４あるいは制御装置３６は、通信制御装置５１とリモコン４４との通信のうち、通信制御装置５１からリモコン４４へ送信される操作命令について、リモコン４４が受信しても制御装置３６へ送信しないように制御する（または、リモコン４４から制御装置３６に操作命令が送信されても、制御装置３６がその操作命令を受付けないように制御する、など他の方法でもよい）。これにより、給湯機本体３５の操作命令は宅内のリモコン４４からのみ可能となるので、使用者の意図しない動作が行われることがなくなる。
【００２９】
なお、このとき制御装置３６は、通信スイッチ４４ｆの操作によって操作命令が遮断された場合、その遮断される直前に給湯機本体３５が実施中であった動作を継続するように構成してよい。これにより、使用者が通信スイッチ４４ｆを操作したあと、それまでの動作を継続したい場合に改めて操作する必要がなくなる。
【００３０】
または、通信スイッチ４４ｆでの操作命令の遮断後、制御装置３６は、遮断直前の給湯機本体３５で動作中であった動作を全て停止するように構成してもよい。この場合、直前の動作が使用者の意図しないものである場合に、その動作の停止と、それ以上の意図しない操作命令の遮断の両方を一度に実現可能となる。
【００３１】
または、通信スイッチ４４ｆでの操作命令の遮断後、制御装置３６は、遮断直前の給湯機本体３５の動作のうち、所定の動作、例えば給湯温度を５０℃以上の高温設定にする操作命令や、浴槽へ高温の湯をさし湯する高温さし湯動作等、それまでよりも安全性に配慮が必要となる方向への操作命令についてのみ停止するように構成してもよい。これによれば、使用者が通信スイッチ４４ｆを操作したあと、それまでの動作のうち安全性に配慮不要な動作を継続し、改めて操作する必要がなくなるとともに、安全性に配慮が必要な動作を停止することができ、それ以上の意図しない操作命令の遮断も実現可能となる。
【００３２】
また、上述の、「遮断直前の動作を継続」、「遮断直前の動作を全て停止」、「遮断直前の動作のうち、所定の動作を停止」のいずれかとなるように、使用者が予めリモコン４４で設定できるように構成してもよい。
【００３３】
使用者は、外部からの意図しない操作命令を通信スイッチ４４ｆで遮断したあと、適宜、通信スイッチ４４ｆを再度操作し、通信制御装置５１とリモコン４４との通信を再開（開通）させる。これにより、リモコン４４以外からの給湯機本体３５の操作が可能となる。
【００３４】
なお、給湯機本体３５の制御装置３６および、リモコン４４などの、本システムは、工場出荷状態での初期設定を、上述の通信スイッチ４４ｆが操作された状態、すなわち通信制御装置５１からの操作命令については受付けないが、給湯機本体３５の設定や動作状態等の情報については、外部に送信可能な状態、での設定となるように構成してもよい。これによれば、例えば、工場出荷時の出荷検査等では、何ら操作することなしに給湯機本体３５の動作状態の受信内容を確認することで通信関連の確認検査が可能となり、外部からの意図しない操作を遮断した状態を継続することが可能となる。また、住宅等への設置に際しても、現地で同様に据付業者は受信内容を確認することで通信関連の確認が可能となり、使用者への引渡しまでにある程度の期間があっても、それまでの間に外部からの意図しない操作を受けない状態（遮断した状態）を、何ら操作することなく継続することが可能となる。
【００３５】
なお、本実施の形態１では、リモコン４４に通信スイッチ４４ｆを備え、通信スイッチ４４ｆで通信制御装置５１との通信を制御する構成について説明したが、例えば、通信スイッチ４４ｆをリモコン４４に設けず、リモコン４４に既存の給湯機本体３５の操作を行う操作スイッチを所定の方法（例えば２つのスイッチを同時に押す、特定のスイッチを３秒程度長時間押し続ける、特定の設定モードへ遷移させて通信の遮断や開通を設定する、など）で操作することで、通信スイッチ４４ｆの操作と同様の作用を持たせるように構成してもよい。これによれば、特別に通信スイッチ４４ｆを設けなくても、既存のスイッチにより上述の効果を得ることができ、リモコン上のスイッチ数低減によるコスト低減効果や、リモコン上の限られたスペースでのスイッチ配置性の改善効果、使用者の通信スイッチの誤操作（リモコン上に単独で設けられる場合に比較して、操作が複雑になるので）の低減等の効果を奏する。
【００３６】
また、本実施の形態１では、通信制御手段との通信遮断や開通をソフトウエア上で実現する場合（送受信において、給湯機本体３５の動作状態は送信するが、外部からの操作命令は受信しても受付けないようにした）について説明したが、例えばこれに代えて、通信制御装置５１から送信された操作命令が、リモコン４４から制御装置３６へ送信される通信ルートのうち、いずれかのルートを物理的に遮断する遮断手段（例えばリモコン４４内の受信装置の電源を遮断する電源遮断手段）を、リモコン上に設けてもよい。これによれば、給湯機本体３５のソフトウエアの動作状態によらず、機械的に外部からの操作命令を遮断することができるので、例えば外部からの操作命令（ウイルス等による攻撃など）により既に給湯機本体３５のソフトウエアが正常動作しておらず、上述の通信スイッチ４４ｆでのソフト的な操作を受付けられない状態となっていても、確実に外部からの操作命令を遮断することが可能となる。なお、この場合も同様に給湯機本体３５の動作状態は外部へ送信可能に構成し、外部からの操作命令のみを物理的に遮断する遮断手段とすることで、上述と同様の効果を奏する。
【００３７】
なお、本実施の形態では、通信制御装置５１との操作命令や動作状態などの送受信を行う相手をリモコン４４としたが、例えば図４のように通信清書装置５１との送受信を行う昨日をリモコン４４から独立させたインターフェースユニット４５を、リモコンと別個に設けても良い。図４において、制御装置３６とインターフェースユニット４５とは、リモコン４４同様、有線接続されており、インターフェースユニット４５は、通信制御装置５１からの給湯機本体３５を操作するための操作命令の受信や給湯機本体３５の動作状態情報の送信が可能に構成されている。
【００３８】
前述のリモコン４４の代わりに、またはリモコン４４に加えて、インターフェースユニット４５を設けることでも前述と同様の効果を奏する。また、リモコン４４が通信制御装置５１との通信機能を備えていなくても、インターフェースユニット４５により通信が可能となるため、例えば通信機能を持たないリモコンを備えた給湯機にインターフェースユニット４５を増設するだけで、本発明と同様の効果を奏する。なお、インターフェースユニット４５には、図３のような表示部や通信スイッチなどを備えてもよい。
【００３９】
以上本発明によれば、外部から所有者の意図しない操作命令が成されたとしても、その外部からの操作命令に対し、操作命令の受信を制限、禁止等の適切な対応処理を行うことができる、使い勝手のよい給湯システムを提供することができる。
【符号の説明】
【００４０】
７  ヒートポンプユニット，８  貯湯タンク，２１  給湯配管，３３  タンクユニット，３５  給湯機本体，３６  制御装置，４４  リモコン，４４ａ  台所リモコン，４４ｂ  浴室リモコン，４４ｄ  表示部，４４ｅ  表示ランプ，  ４４ｆ  通信スイッチ，  ５１  通信制御装置，６１  携帯端末（遠隔通信端末），６２  タブレット端末（遠隔通信端末）
【図１】
2018040563.tif 000003
【図２】
2018040563.tif 000004
【図３】
2018040563.tif 000005
【図４】
2018040563.tif 000006